(57)【要約】【課題】電子写真方式による主として卓上型のプリンタ、複写機、ファクシミリなどの画像形成装置を移動させるに際し、重量バランスを崩すことなく安全に持ち運びが可能な取手を有する画像形成装置を提供する。【解決手段】外観面に移動用の凹部取手（２）を配してなる画像形成装置（１）であって、前記取手（２）は凹部構造を有しその横辺中央部（Ｓ）が画像形成装置の重心線（Ｇ）とずれて位置し、かつ凹部底辺部（４）には重心方向（矢印方向）に沿って深くなるように傾斜を設け、その重心部付近は凹部上壁部（３）に手指を掛けて移動可能な深さである画像形成装置。前記取手が画像形成装置の両側面部に位置しその横辺の中央付近に設けられている態様を含む。【選択図】図２
2004302156.tif 000002
【特許請求の範囲】
【請求項１】
外観面に移動用の凹部取手（２）を配してなる画像形成装置であって、前記取手（２）その横辺中央部（Ｓ）が画像形成装置の重心線（Ｇ）とずれて位置し、かつ凹部奥底辺（４）には一方の端から重心線（Ｇ）へと深くなるように傾斜を設け、その重心線付近において凹部上壁部（３）に最も深い凹部深さを備えていることを特徴とする画像形成装置。
【請求項２】
前記取手が画像形成装置の両側面部に位置しその横辺中央付近に設けられていることを特徴とする請求項１記載の画像形成装置。
【発明の詳細な説明】
【０００１】
【発明の属する技術分野】
本発明は、例えばプリンタ、複写機、ファクシミリなどの電子写真方式による画像形成装置に関し、さらに詳しくは重量バランスを崩すことなく安全に持ち運びが可能な凹部取手を有する画像形成装置に関する。
【０００２】
【従来の技術】
前記のような電子写真方式による画像形成装置には、帯電、光学系、現像、転写、クリーニング、定着、紙処理、感光体などの各種デバイスがコンパクトに配置されている。その形状、大きさ、重量などは、使用用途等によって様々であるが、例えば卓上型のものでは１０〜２０ｋｇの重量であることが多い。このタイプは、移動させる際には人力によって持ち運びするために、通常、外観面に取手が設けられている。
【０００３】
従来の画像形成装置の取手は、例えば特許文献１に開示されているように、プリンタユニットシステムは外観面に手掛り部１０１を形成し、該凹部の上壁部に手が掛けられるようにされているが（図３参照）、その凹部深さは全辺域にわたって一定である（図４参照）。また、従来の取手は、画像形成装置の側面または上面の辺の中凹部に設けるのが通常である。
ところで、前述したような多種のデバイスを有する画像形成装置は、その配列構造上、重心が装置の中心部に一致しなくなることが多い。このために、従来のように辺の中央部に取手を設けておくと、持ち上げるときに重量バランスが崩れれることになり、作業がし難いだけでなく安全上も問題がある。これを避けるために、取手を重心線に一致させて形成しようとしても、画像形成装置の構造上からできなかったり、また一致させることができても外観上のバランスが失われてデザイン的に違和感が生じたりする問題がある。
【０００４】
【特許文献１】
特開平１１−６５１９７号公報（請求項１〜９、図１〜６など）
【０００５】
【発明が解決しようとする課題】
そこで、本発明の目的は、重心線と取手の中央部にずれがある画像形成装置において、移動作業時に手が重心線付近まで自然に移動する動作が行なわれるような取手形状を有する画像形成装置を提供しようとするものである。
【０００６】
【課題を解決するための手段】
上記の課題を解決するために、本発明者らは種々検討したところ、取手となる凹部底辺部に重心線に向かって次第に深くなるように傾斜を設けることにより、取手中央部に挿入した手指が、ごく自然に心理上、重心線方向に移動する動作を伴うものであるという知見を得、これに基づいてさらに検討を重ねて本発明を完成した。
【０００７】
すなわち、本発明は、
１）外観面に移動用の凹部取手（２）を配してなる画像形成装置であって、前記取手（２）その横辺中央部（Ｓ）が画像形成装置の重心線（Ｇ）とずれて位置し、かつ凹部奥底辺（４）には一方の端から重心線（Ｇ）へと深くなるように傾斜を設け、その重心線付近において凹部上壁部（３）に最も深い凹部深さ（空間）を備えていることを特徴とする画像形成装置。および
２）前記取手が画像形成装置の両側面部に位置しその横辺の中央付近に設けられていることを特徴とする上記１）項記載の画像形成装置、
である。
【０００８】
本発明の画像形成装置によると、移動作業時に作業者が取手凹部の中央付近に手指を挿入しようとすると、そこは凹部底辺部に設けられた傾斜が浅いことから、上壁部に掛けて持ち上げることができず、その感触から心理的に手指先端を傾斜の深くなる方向に移動しようとする動作が行われることとなる。そして、上壁部に手指を掛けて持ち上げなどの移動動作が可能な傾斜深さである重心線付近まで手指をずらすことが自然に行なわれるので、重量バランスを崩すことなく安全に移動作業を行うことができる。しかも、取手形状の中央部位置を重心線に一致させる必要がないことから、重心が装置の中央部をずれて位置する場合でも、取手を外観辺中央部にバランスよく配置することできて、違和感のないデザインが可能になる。
【０００９】
【発明の実施の形態】
本発明は、プリンタ、複写機、ファクシミリなどの電子写真方式による画像形成装置であって、主に卓上型や個人向型などのＡ３用紙程度までの大きさを対象とし、１０〜２０ｋｇ程度の重量を有するものである。これらの機種タイプは、不特定多数の使用者が一人で持ち運ぶことから、安全に移動し易いことが要求される。
【００１０】
本発明の画像形成装置における取手部の構造例を図１および図２を参照しつつ説明する。
図１は、本発明の画像形成装置（卓上型プリンタの例）１の側面図を示し、この装置の重心Ｇは装置の中央部よりもずれて左方向に位置するが、凹部構造の取手２は辺の中央部Ｓ付近にバランスよく配置されている。ここで、取手２は、重心Ｇの下方向の延長線が凹部の横方向内に納まる大きさに形成されている。
【００１１】
図２は、取手２を上面からみたときの拡大断面図であり、凹部底辺部４は重心線Ｇの方向（矢印方向）に沿って次第に深くなるように傾斜が設けられている。この画像形成装置を持ち運ぶために、取手２の中央部Ｓ付近のＡ位置に手指を挿入すると、その底辺部域に形成された空間には手指先端から第１番目関節部（約２ｃｍの深さ）までの深さになっており、したがってここに対応する位置の凹部上壁部（この図では透視形状で表されている）３は、引っ掛けて持ち上げるほどのスペースが確保されていない。このために、作業者は手指を傾斜の深くなる方向（矢印方向）に移動させて、持ち上げ可能な第２番目関節部以上（約６ｃｍの深さ）の深さを有する箇所まで移動させることとなる。ただ、国によって人の体格に違いがあるため、深さは製品の仕向け地によって変えることも可能である。この手指の移動は、凹部底辺が傾斜構造になっていることから、心理的に安定な方向つまり傾斜の深い方向へとごく自然に行なわれる。そして、凹部上壁部３のスペースが持ち上げ可能となり、かつ重心線Ｇの位置まで移動したときに持ち上げ動作が開始される。従って、重量バランスを崩すことなく、スムーズでかつ安全に持ち運び作業を行なうことができる。
【００１２】
【発明の効果】
上述のとおり、本発明の画像形成装置は、その取手形状の有する機能によって、手で持ち上げたときに重心バランスを崩すことなく、安全に移動させることができる。
【図面の簡単な説明】
【図１】本発明の画像形成装置（卓上型プリンタ）の一例であって、取手２と重心Ｇの位置関係を例示する
【図２】本発明の画像形成装置が有する取手形状の一例を示す。
【図３】従来の、手掛り部を設けたプリントユニットシステムの例を示す。
【図４】従来の、手掛り部の形状例を示す。
【符号の説明】
１  画像形成装置
２  取手
３  取手凹部の上壁部
４  取手凹部底辺（傾斜）
Ｇ  画像形成装置の重心（重心線）
Ｓ  取手形状の中央部
【図１】
2004302156.tif 000003
【図２】
2004302156.tif 000004
【図３】
2004302156.tif 000005
【図４】
2004302156.tif 000006